(57)【特許請求の範囲】
【請求項１】
中心部材と、
前記中心部材に固定され、内側部が略半球状に形成された皿状部材と、
前記中心部材の外周に配置される略筒状の装飾補助部材と、
を有し、
前記中心部材は、前記皿状部材の内側部に固定される軸部と、前記軸部の直径よりも大きい直径を有する天井部を有し、
前記皿状部材の前記内側部は、略鏡面状に形成されており、
前記装飾補助部材は、前記中心部材の前記天井部と前記皿状部材の前記内側部に挟まれるように構成されており、
前記装飾補助部材の外周部の態様が、前記皿状部材の前記内側部によって変換された像として、前記内側部から外部者の視覚に到達するように構成されている、
身飾品本体。
【請求項２】
前記装飾補助部材の外径φ２の前記皿状部材の前記内側部の直径φ１に対する比率α１（φ２／φ１）は０．３以上０．４以下である請求項１に記載の身飾品本体。
【請求項３】
前記装飾補助部材の高さｈ３の前記皿状部材の高さｈ１に対する比率β１（ｈ３／ｈ１）は０．４以上０．７以下である、請求項１または請求項２のいずれかに記載の身飾品本体。
【請求項４】
前記天井部の直径φ３の前記装飾補助部材の外径φ２に対する比率β３（φ３／φ２）は１．２以上１．５以下であり、
前記直径φ３の前記装飾補助部材の高さｈ３に対する比率β４（φ３／ｈ３）は２．０以上２．５以下である、
請求項１乃至３のいずれかに記載の身飾品本体。
【請求項５】
前記軸部は、揺動可能に構成されている請求項１乃至４のいずれかに記載の身飾品本体。
【発明の詳細な説明】
【技術分野】
【０００１】
本発明は、  ネックレスや指輪などの身飾品本体に関する。身飾品本体とは、例えば、ネックレスであれば、チャームやペンダントヘッドと呼ばれるものであり、指輪であれば、アーム以外の部分であり、石座や石で構成される部分に相当する。
【背景技術】
【０００２】
従来、宝石をより美しく見せるための宝石の保持構造が提案されている（特許文献１）。
【先行技術文献】
【特許文献】
【０００３】
【特許文献１】特許第５８６７９１５号公報
【発明の概要】
【発明が解決しようとする課題】
【０００４】
宝石が美しく見えるかどうかは、天候等の雰囲気や服装等の状況に影響されるから、一通りのデザインではユーザの要望に十分に応じることはできない。
【０００５】
本発明はかかる問題の解決を試みたものであり、雰囲気や服装等の状況に応じて、人間の視覚に異なる像を与えることができる身飾品本体の提供を目的とする。
【課題を解決するための手段】
【０００６】
第一の発明は、中心部材と、前記中心部材に着脱可能に固定され、内側部が略半球状に形成された皿状部材と、前記中心部材の外周に配置される略筒状の装飾補助部材と、を有し、前記中心部材は、前記皿状部材の内側部と着脱可能に固定される軸部と、前記軸部の直径よりも大きい直径を有する天井部を有し、前記皿状部材の前記内側部は、略鏡面状に形成されており、前記装飾補助部材は、前記中心部材の前記天井部と前記皿状部材の前記内側部に挟まれるように構成されており、前記装飾補助部材の外周部の態様が、前記皿状部材の前記内側部によって変換された像として、前記内側部から外部者の視覚に到達するように構成されている、身飾品本体である。
【０００７】
第一の発明の構成によれば、装飾補助部材は、天井部と皿状部材の内側部に挟まれているから、中心部材と皿状部材を乖離させることで、別の装飾補助部材と容易に交換することができる。そして、装飾補助部材の外周の態様が、略半球状に形成された略鏡面状の皿部の内側に映り、変換された美しい像として、外部者の視覚に到達するようになっている。このため、雰囲気や服装等の状況に応じて、人間の視覚に異なる像を与えることができる。
【０００８】
第二の発明は、第一の発明の構成において、前記装飾補助部材の外径φ２の前記皿部の前記内側部の直径φ１に対する比率α１（φ２／φ１）は０．３以上０．４以下である身飾品本体である。
【０００９】
第三の発明は、第一の発明または第二の発明の構成において、前記装飾補助部材の高さｈ３の前記皿部の高さｈ１に対する比率β１（ｈ３／ｈ１）は０．４以上０．７以下である、身飾品本体である。
【００１０】
第四の発明は、第一の発明乃至第三の発明のいずれかの構成において、前記天井部の直径φ３の前記装飾補助部材の外径φ２に対する比率β３（φ３／φ２）は１．２以上１．５以下であり、前記直径φ３の前記装飾補助部材の高さｈ３に対する比率β４（φ３／ｈ３）は２．０以上２．５以下である、見飾品本体である。
【００１１】
第五の発明は、第一の発明乃至第四の発明のいずれかの構成において、前記軸部は、揺動可能に構成されている身飾品本体である。
【発明の効果】
【００１２】
以上のように、本発明によれば、雰囲気や服装等の状況に応じて、人間の視覚に異なる像を与えることができる。
【図面の簡単な説明】
【００１３】
【図１】本発明の一実施形態の身飾品本体を示す概略斜視図である。
【図２】身飾品本体の概略平面図である。
【図３】身飾品本体の概略端面図である。
【図４】装飾補助部材を示す概略図である。
【図５】本発明の一実施形態の身飾品本体を示す概略端面図である。
【図６】本発明の一実施形態の身飾品本体を示す概略端面図である。
【発明を実施するための形態】
【００１４】
本発明の実施形態を、図面を参照して説明する。なお、当業者が適宜実施できる構成については説明を省略し、本発明の基本的な構成についてのみ説明する。
【００１５】
＜第一の実施形態＞
図１〜図３に示すように、身飾品本体１（以下、「チャーム１」と呼ぶ。）は、内側形状が略半球状の皿部１０、皿部１０の略中心部に配置される装飾補助部材２０、装飾補助部材２０を固定し、上面に宝石４０が配置される中心部材３０を有する。皿部１０の外周部には、接続用環５０が形成されており、ネックレス等の身飾品に接続可能になっている。宝石４０は、例えば、真珠である。
【００１６】
中心部材３０は、軸部３０ｂと、軸部３０ｂよりも大きな直径を有する天井部３０ａを有する。
【００１７】
皿部１０の内側面１０ａは略鏡面に形成されている。すなわち、内側面（内側部）１０ａは、略半球状であり、略球面である。内側面１０ａは、装飾補助部材２０の色や模様などの態様を変換して外部者の視覚に与えるための態様変換手段である。内側面１０ａによって、装飾補助部材２０の元の態様が変換され、外部者がチャーム１を見たときに、装飾補助部材２０自体とは全く異なる像が皿部１０の内側面１０ａに映し出され、外部者の視覚に到達するようになっている。そして、外部者が矢印Ｘ１方向からチャーム１を見たときには、内側面１０ａの全体に、変換された装飾補助部材２０の像が映るようになっている。そして、矢印Ｘ１方向とは異なる方向から見たときには、その角度によって、外部者の視覚には、内側面１０ａの一部について、内側面１０ａ自体の略鏡面の態様が到達するようになっている。このように、外部者がチャーム１を見る角度によって、異なる美しさを有する像が外部者の視覚に到達するようになっている。
【００１８】
皿部１０は、銀などの金属、あるいは、金やプラチナ等の貴金属を使用して、鋳造や打ち出しなどの加工によって、形成される。本実施形態では、皿部１０の内側面１０ａは、銀を鋳造し、研磨剤で磨いて、形成した。磨き加工に使用する工具としては、例えば、マイクロ・ハンドグライダーを使用し、粗研磨材として、シリコンポイント及びシリコンホイールを使用し、仕上げ磨き用バフとして、豆バフ、青・綿・キャラコ・セームを使用する。研磨剤として、ＮＩＫＫＯの白棒（＃１５００〜＃８０００）及びＫＯＹＯの青棒（＃Ｋ−１）を使用する。これにより、内側面１０ａは、ほぼ鏡面に形成される。
【００１９】
図４は、装飾補助部材２０の概略斜視図である。装飾補助部材２０の外周部２０ａには、着色、あるいは、模様などの装飾が付されている。装飾補助部材２０の材質は限定されないが、例えば、プラスチック樹脂で形成してもよい。
【００２０】
上述のように、装飾補助部材２０の態様は、外部者の視覚に直接到達するのではなく、略半球状であり、略鏡面状の皿部１０の内側面１０ａに写り、変換されたうえで、外部者の視覚に到達する。装飾補助部材２０が、例えば、プラスチック樹脂で形成した輪に着色がなされた単純あるいは平凡、かつ安価なものであっても、略球状に湾曲した内側面１０ａに映ることによって像が変換され、外部者の視覚に到達する像は、装飾補助部材２０自体とは全く異なる美しいものとなる。
【００２１】
図２は、図１のチャーム１を矢印Ｘ１方向から見た平面図である。皿部１０の内径をφ１、装飾補助部材２０の外径をφ２とすると、φ２のφ１に対する比率α１（φ２／φ１）は、０．３以上０．４以下である。α１が０．３より小さい場合、すなわち、装飾補助部材２０が細過ぎる場合には、装飾補助部材２０の外周の態様が皿部１０の内側面１０ａに写りにくい。また、α１が０．４より大きい場合、すなわち、装飾補助部材２０が太すぎる場合には、内側面１０ａの面積を十分に利用することができず、変換された美しい像を十分に外部者の視覚に与えることができない。
【００２２】
図３は、チャーム１の概略端面図である。中心部材３０は、円板状の天井部３０ａ及び円柱状の軸部３０ｂを有する。軸部３０ｂの外周に装飾補助部材２０が配置されるようになっている。軸部３０ｂには雌ねじが形成されており、皿部１０の内側面１０ａの中央部に形成された雄ねじ部１０ｂと係合するようになっており、これにより、中心部材３０と皿部１０が着脱可能に固定されるようになっている。装飾補助部材２０は、天井部３０ａと皿部１０の内側面１０ａに挟まれて、固定される。  
【００２３】
皿部１０の内側面１０ａの高さをｈ１、装飾補助部材２０の下端部から皿部１０の上端部までの高さをｈ２、装飾補助部材２０の高さをｈ３とすると、ｈ３のｈ１に対する比率β１（ｈ３／ｈ１）は０．４以上０．７以下であり、ｈ３のｈ２に対する比率β２（ｈ３／ｈ２）は０．５以上０．８以下である。β１が０．４未満、あるいは、β２が０．５未満、すなわち、ｈ３が小さいすぎる場合には、皿部１０の内側面１０ａの全面に装飾補助部材２０の装飾が映し出されない。一方で、内側面１０ａの全面に装飾補助部材２０の装飾を映し出すためには、装飾補助部材２０の上端部が皿部１０の上端部と等しくなる必要はなく、β１が０．４以上、β２が０．５以上であれば足りる。したがって、β１及びβ２を上記の数値範囲にすることで、装飾補助部材１０の態様を内面１０ａの全体に映し出し、変換された像を使用者の視覚に与えることができ、また、天井部３０ａの厚さや宝石４０の大きさの自由度を大きくすることができる。
【００２４】
天井部３０ａの直径をφ３とすると、φ３のφ２に対する比率β３（φ３／φ２）は、１．２以上１．５以下である。また、φ３のｈ３に対する比率β４（φ３／ｈ３）は２．０以上２．５以下である。β３及びβ４が上記数値範囲の場合には、外部からチャーム１を見た場合に、装飾補助部材２０が直接に外部者の視覚に到達する可能性は低い。このため、装飾補助部材２０自体は、単純あるいは平凡な態様であっても、内側面１０ａによって美しく変換された像が外部者の視覚に到達する。
【００２５】
＜第二の実施形態＞
図５に第二の実施形態を示す。第二の実施形態は、皿部１０が軸部１０ｃを有し、軸部１０ｃに磁石１０ｄが接続されている。そして、中心部材３０が軸部１０ｃを覆う凹孔を有する軸部３０ｃを有し、軸部３０ｃに磁石３０ｄが接続されている。磁石１０ｄと磁石３０ｄは、一方がＮ極であれば他方はＳ極に着磁されるというように、逆の極性になっており、互いに引き合うようになっている。第二の実施形態においては、磁石１０ｄと磁石３０ｄによって、皿部１０と中心部材３０が着脱可能に固定される。なお、装飾補助部材２０は、環状部３０ｅの外周に配置される。軸部３０ｃと環状部３０ｅの間は空間Ｋとなっている。
【００２６】
＜第三の実施形態＞
図６に第三の実施形態を示す。第三の実施形態は、軸部１０ｅが揺動可能に構成されている点において、第一の実施形態と異なる。皿部１０の外面１０ｆは、裏部１０ｆａと凹部１０ｆｂから構成される。軸部１０ｅは、雄螺子部１０ｅａ、螺子なし部１０ｅｂ及び球状部１０ｅｃから構成される。軸なし部１０ｅｂが皿部１０を貫通し、球状部１０ｅｃが矢印Ｙ１や矢印Ｙ２に示す方向等に回転可能な状態で、凹部１０ｆｂに接触し、配置される。すなわち、軸部３０ｂの底面と球状部１０ｅｃによって、凹部１０ｆｂを挟むことによって、中心部材３０が皿部１０に、揺動可能な状態で、固定される。球状部１０ｅｃが回転すると、軸部１０ｅ全体が回転し、軸部１０ｅに接続された中心部材３０等の各部材は、矢印Ｙ１や矢印Ｙ２に示す方向等に揺動する。中心部材３０等の各部材は、チャーム１が動くと、揺動する。これにより、外部者の視覚に、変化する像を到達させることができる。
【符号の説明】
【００２７】
１  身飾品
１０  皿部
２０  装飾補助部材
３０  中心部材
４０  宝石
【図１】
0006771759.tif 000002
【図２】
0006771759.tif 000003
【図３】
0006771759.tif 000004
【図４】
0006771759.tif 000005
【図５】
0006771759.tif 000006
【図６】
0006771759.tif 000007